【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
処方された製品および／またはサービスの充足を容易にするシステムであって、
顧客が、患者情報および少なくとも１つの未充足処方の情報を提出し、該未充足処方を充足するために行われた入札に関する情報を受け取るための少なくとも１つの第１の入力／出力手段と、ここで、処方充足提供者は、低い価格および／または追加の補助的サービスを提供することによって、互いに競争入札をする、
事前に資格を与えられた処方充足提供者を含むレジストリへ前記未充足処方の情報を通信し、該事前に資格を与えられた処方充足提供者が、相互作用的に入札を提出して前記未充足処方を充足するための少なくとも１つの第２の入力／出力手段と、
前記第１の入力／出力手段および前記第２の入力／出力手段と電子的に通信するデータ記憶および処理ユニットと
を備えるシステム。
【請求項２】
前記第１の入力／出力デバイスが、イントラネット、インターネット、またはこれら双方へのインタフェースである、請求項１に記載のシステム。
【請求項３】
前記第２の入力／出力デバイスが、イントラネット、インターネット、またはこれら双方へのインタフェースである、請求項１に記載のシステム。
【請求項４】
前記電子的に通信することが、イントラネット、インターネット、またはこれら双方を介して行われる、請求項１に記載のシステム。
【請求項５】
前記処方が薬剤のためであり、前記方法が、更に、類似製品の価格比較を実行し、処方された薬剤と潜在的に類似する製品のリストを識別すると共に、そのようにして識別された類似製品の相対的コストを識別する手段を備える、請求項１に記載のシステム。
【請求項６】
更に、自動入札手段を備える、請求項１に記載のシステム。
【請求項７】
更に、処方された製品の製造者および／または供給者が、顧客へのダイレクト広告および／またはコスト奨励品を提供するための手段を備える、請求項１に記載のシステム。
【請求項８】
前記コスト奨励品が電子クーポンである、請求項７に記載のシステム。
【請求項９】
処方を処理するシステムであって、
顧客が、患者情報および少なくとも１つの未充足処方の情報を提出し、該未充足処方を充足するために行われた入札に関する情報を受け取るための少なくとも１つの第１の入力／出力手段と、
事前に資格を与えられた薬局を含むレジストリへ前記未充足処方の情報を通信し、該事前に資格を与えられた薬局が、逆オークションで相互作用的に入札を提出して前記未充足処方を充足するための少なくとも１つの第２の入力／出力手段と、ここで、処方充足提供者は、低い価格および／または追加の補助的サービスを提供することによって、互いに競争入札をする、
前記第１の入力／出力手段および前記第２の入力／出力手段と電子的に通信するデータ記憶および処理ユニットと
を備えるシステム。
【請求項１０】
前記第１の入力／出力デバイスが、イントラネット、インターネット、またはこれら双方へのインタフェースである、請求項９に記載のシステム。
【請求項１１】
前記第２の入力／出力デバイスが、イントラネット、インターネット、またはこれら双方へのインタフェースである、請求項９に記載のシステム。
【請求項１２】
前記電子的に通信することが、イントラネット、インターネット、またはこれら双方を介して行われる、請求項９に記載のシステム。
【請求項１３】
更に、類似製品の価格比較を実行して、処方された薬剤のジェネリック代替品および/または薬剤同等品を識別し、そのようにして識別された代替または類似代替製品のコストを決定する手段を備える、請求項９に記載のシステム。
【請求項１４】
更に、自動入札手段を備える、請求項９に記載のシステム。
【請求項１５】
処方製品またはサービスの引き渡しを容易にする方法であって、
処方が処方者によって提供された場合の未充足処方情報および患者情報を、顧客から、参加している入札サービス提供者へ提供するステップと、
前記入札サービス提供者から、事前に資格を与えられた薬局のレジストリへ、電子手段を介して未充足処方情報を転送するステップと、
前記事前に資格を与えられた薬局が相互作用的および反復的入札で応答して前記未充足処方を充足する逆オークションを実行するステップと、ここで、処方充足提供者は、低い価格および／または追加の補助的サービスを提供することによって、互いに競争入札をする、
少なくとも１つの入札を行って処方を充足する各々の応答する薬局の最低入札の詳細を顧客へ提供するステップと、
顧客に勝利入札を選択させるステップとを含む、前記方法。
【請求項１６】
前記処方者は顧客の代理として行動する、請求項１５に記載の方法。
【請求項１７】
前記処方者は、薬剤を処方する資格を与えられた者である、請求項１５に記載の方法。
【請求項１８】
前記顧客は、逆オークションの間いつでも勝利入札を選択してよい、請求項１５に記載の方法。
【請求項１９】
更に、所定の時間制限を設定し、逆オークションを成立させるステップを含む、請求項１５に記載の方法。
【請求項２０】
前記顧客が、逆オークションの間いつでも、前記所定の時間制限の成立前に勝利入札を選択する、あるいは、前記所定の時間制限の成立後に、勝利入札を選択する選択権を有する、請求項１９に記載の方法。
【請求項２１】
更に、前記入札サービス提供者を通じて、すべての応答する薬局に顧客が選択したものを通知するステップを含む、請求項１５に記載の方法。
【請求項２２】
更に、前記顧客に、予約番号およびキー・コードを提供し、勝利入札とともに前記応答する薬局に、同じ予約番号を提供するステップを含む、請求項１５に記載の方法。
【請求項２３】
前記処方が物理的形状であり、該物理的処方が、勝利入札とともに前記薬局で充足されるまで前記顧客のために残される、請求項１５に記載の方法。
【請求項２４】
前記処方が、ファクシミリ、電話、または電子通信を通じて勝利入札とともに、前記処方者から前記薬局に転送される、請求項１５に記載の方法。
【請求項２５】
特定のサービスエリア内の薬局および／またはメールオーダーを通じて給仕する薬局だけが入札を許可される、請求項１５に記載の方法。
【請求項２６】
前記処方情報が電子的に提供される、請求項１５に記載の方法。
【請求項２７】
前記電子輸送が、イントラネット、インターネット、またはそれらの両方を通じて行われる、請求項２６に記載の方法。
【請求項２８】
前記薬局が、低い価格および／または追加の補助的サービスを提供することによって、互いに競争入札をする、請求項１５に記載の方法。
【請求項２９】
前記処方情報が、処方名、薬剤強度、処方量および入札時間制限を含む、請求項１５に記載の方法。
【請求項３０】
前記処方情報が、更に、薬剤の形態または望まれる補助的薬局サービスの少なくとも１つを含む、請求項２９に記載の方法。
【請求項３１】
前記薬局が、自ら選んだあらかじめ決められたパラメータに基づいて自動入札する、請求項１５に記載の方法。
【請求項３２】
前記あらかじめ決められたパラメータが、標準企業価格インデックスへの指標付けを含む、請求項３１に記載の方法。
【請求項３３】
更に、事前承認が、前記処方のためにまたは入札に含まれる補助的なサービスのために要求されるならば、前記入札サービス提供者が第三者支払い人と接触するステップを有する、請求項１５に記載の方法。
【請求項３４】
更に、類似製品の価格比較を実行し、処方された薬剤と潜在的に類似する製品のリストを識別すると共に、そのようにして識別された類似製品の相対的コストを識別するステップを有する、請求項１５に記載の方法。